(57)【要約】【課題】無線回線品質が劣化してもＡＲＱの性能の劣化を防ぐこと。【解決手段】尤度算出部１０５は、復調された受信パケットの尤度を算出する。合成判定部１０６は、尤度と閾値Ｔｈ１との大小比較を行い、尤度が閾値Ｔｈ１より大きかった場合にスイッチ１０７を接続し、尤度が閾値Ｔｈ１以下の場合にＮＡＣＫ信号を出力する。バッファ１０８は、保存している信号を合成部１０４に出力し、スイッチ１０７を介して新たな信号を入力した際にはその信号を上書き保存する。誤り訂正復号部１０９は、スイッチ１０７を介して入力した信号に対して誤り訂正復号処理を行う。誤り検出部１１０は、誤り訂正復号部１０９の出力信号に対して誤り検出（ＣＲＣ判定）を行い、誤りが検出された場合にＮＡＣＫ信号を出力し、誤りが検出されなかった場合にバッファ１０８に保存されている信号を消去し、スイッチ１１１を接続し、ＡＣＫ信号を出力する。【選択図】　　　図１
2004040315.tif 000002
【特許請求の範囲】
【請求項１】
受信パケットを復調する復調手段と、復調された受信パケットの無線回線品質を推定する回線品質推定手段と、無線回線品質に基づいて受信パケットを合成するか否かを判定する合成判定手段と、前記合成判定手段にて選別された受信パケットを合成して第１合成パケットを生成する合成手段と、前記第１合成パケットに対して誤り訂正復号を行う誤り訂正復号手段と、この誤り訂正復号手段の出力信号に対して誤り検出を行い、誤りを検出した場合に再送要求コマンドを通信相手に送信する誤り検出手段とを具備することを特徴とする受信装置。
【請求項２】
回線品質推定手段は、受信パケットの尤度を算出し、合成判定手段は、尤度が第１の閾値より大きい受信パケットのみを選別することを特徴とする請求項１記載の受信装置。
【請求項３】
回線品質推定手段は、過去に合成された第１合成パケットと受信パケットとを合成した第２合成パケットの尤度を算出し、合成判定手段は、前記第２合成パケットの尤度が前記第１パケットの尤度より大きい受信パケットのみを選別することを特徴とする請求項１又は請求項２記載の受信装置。
【請求項４】
回線品質推定手段は、受信パケットの希望波対干渉波比を算出し、合成判定手段は、希望波対干渉波比が第２の閾値より大きい受信パケットのみを選別することを特徴とする請求項１から請求項３のいずれかに記載の受信装置。
【請求項５】
回線品質推定手段は、過去に合成された第１合成パケットと受信パケットとを合成した第２合成パケットの希望波対干渉波比を算出し、合成判定手段は、前記第２合成パケットの希望波対干渉波比が前記第１パケットの希望波対干渉波比より大きい受信パケットのみを選別することを特徴とする請求項１から請求項４のいずれかに記載の受信装置。
【請求項６】
合成判定手段は、受信パケットを選別しなかった場合に再送要求コマンドを通信相手に送信することを特徴とする請求項１から請求項５のいずれかに記載の受信装置。
【請求項７】
受信装置が、無線回線品質が良好な状態で受信したパケットのみを選別し、選別したパケットを合成した合成パケットに対して誤り検出を行い、誤りを検出した場合に再送要求コマンドを通信相手の送信装置に送信することを特徴とする通信方法。
【請求項８】
受信装置が、受信パケットを復調して尤度を算出し、前記尤度が第１の閾値より大きい受信パケットを選別し、選別したパケットを合成した合成パケットに対して誤り検出を行い、前記尤度が前記第１の閾値以下の場合あるいは誤りを検出した場合に再送要求コマンドを通信相手の送信装置に送信することを特徴とする通信方法。
【請求項９】
受信装置が、過去に合成された第１合成パケットと受信パケットとを合成した第２合成パケットの尤度を算出し、前記第２合成パケットの尤度が前記第１パケットの尤度より大きい受信パケットを選別し、選別したパケットを合成した合成パケットに対して誤り検出を行い、前記第２合成パケットの尤度が前記第１パケットの尤度以下の場合あるいは誤りを検出した場合に再送要求コマンドを通信相手の送信装置に送信することを特徴とする通信方法。
【請求項１０】
受信装置が、受信パケットの希望波対干渉波比を算出し、前記希望波対干渉波比が第２の閾値より大きい受信パケットを選別し、選別したパケットを合成した合成パケットに対して誤り検出を行い、前記希望波対干渉波比が前記第２の閾値以下の場合あるいは誤りを検出した場合に再送要求コマンドを通信相手の送信装置に送信することを特徴とする通信方法。
【請求項１１】
受信装置が、過去に合成された第１合成パケットと受信パケットとを合成した第２合成パケットの希望波対干渉波比を算出し、前記第２合成パケットの希望波対干渉波比が前記第１パケットの希望波対干渉波比より大きい受信パケットを選別し、選別したパケットを合成した合成パケットに対して誤り検出を行い、前記第２合成パケットの希望波対干渉波比が前記第１パケットの希望波対干渉波比以下の場合あるいは誤りを検出した場合に再送要求コマンドを通信相手の送信装置に送信することを特徴とする通信方法。
【発明の詳細な説明】
【０００１】
【発明の属する技術分野】
本発明は、ＡＲＱ（Ａｕｔｏｍａｔｉｃ　Ｒｅｐｅａｔ　Ｒｅｑｕｅｓｔ）を適用する無線通信システムに用いられる受信装置及び通信方法に関する。
【０００２】
【従来の技術】
高速パケット伝送を行う無線通信システムでは、データの受信性能の向上を図るためにＡＲＱが用いられている。
【０００３】
ＡＲＱは、受信側で誤りが検出されたデータ単位（フレーム）を送信側が再送信する処理を自動的に行う方法である。そして、従来のＡＲＱシステムにおいて、受信側が、既に受信したパケットと再送されたパケットとを合成し、合成パケットに対して誤り訂正処理を行うシステムが開示されている。
【０００４】
【発明が解決しようとする課題】
しかしながら、従来のＡＲＱシステムでは、受信側が、全ての再送パケットを合成して誤り訂正処理を行っているため、再送時に無線回線上の伝搬環境が悪くなり再送パケットの品質が劣化すると、合成後のパケットの品質が劣化してしまい、ＡＲＱの性能が劣化してしまうという問題を有している。
【０００５】
本発明はかかる点に鑑みてなされたものであり、無線回線品質が劣化してもＡＲＱの性能の劣化を防ぐことができる受信装置及び通信方法を提供することを目的とする。
【０００６】
【課題を解決するための手段】
本発明の受信装置は、受信パケットを復調する復調手段と、復調された受信パケットの無線回線品質を推定する回線品質推定手段と、無線回線品質に基づいて受信パケットを合成するか否かを判定する合成判定手段と、前記合成判定手段にて選別された受信パケットを合成して第１合成パケットを生成する合成手段と、前記第１合成パケットに対して誤り訂正復号を行う誤り訂正復号手段と、この誤り訂正復号手段の出力信号に対して誤り検出を行い、誤りを検出した場合に再送要求コマンドを通信相手に送信する誤り検出手段とを具備する構成を採る。
【０００７】
この構成により、パケット受信時の無線回線品質の状態を判断し、無線回線品質が良好な状態で受信したパケットのみを合成することができるので、合成後のパケットの品質が劣化してしまうことを防ぎ、ＡＲＱの性能の劣化を防ぐことができる。
【０００８】
本発明の受信装置における回線品質推定手段は、受信パケットの尤度を算出し、合成判定手段は、尤度が第１の閾値より大きい受信パケットのみを選別する構成を採る。
【０００９】
この構成により、復調した受信パケットの尤度と所定の閾値との大小比較によりパケット受信時の無線回線品質の状態を判断し、無線回線品質が良好な状態で受信したパケットのみを合成することができるので、合成後のパケットの品質が劣化してしまうことを防ぎ、ＡＲＱの性能の劣化を防ぐことができる。
【００１０】
本発明の受信装置における回線品質推定手段は、過去に合成された第１合成パケットと受信パケットとを合成した第２合成パケットの尤度を算出し、合成判定手段は、前記第２合成パケットの尤度が前記第１パケットの尤度より大きい受信パケットのみを選別する構成を採る。
【００１１】
この構成により、今回の尤度と前回の尤度との大小比較によりパケット受信時の無線回線品質の状態を判断し、無線回線品質が良好な状態で受信したパケットのみを合成することができるので、合成後のパケットの品質が劣化してしまうことを防ぎ、ＡＲＱの性能の劣化を防ぐことができる。
【００１２】
本発明の受信装置における回線品質推定手段は、受信パケットの希望波対干渉波比を算出し、合成判定手段は、希望波対干渉波比が第２の閾値より大きい受信パケットのみを選別する構成を採る。
【００１３】
この構成により、希望波対干渉波比と所定の閾値との大小比較によりパケット受信時の無線回線品質の状態を判断し、無線回線品質が良好な状態で受信したパケットのみを合成することができるので、合成後のパケットの品質が劣化してしまうことを防ぎ、ＡＲＱの性能の劣化を防ぐことができる。
【００１４】
本発明の受信装置における回線品質推定手段は、過去に合成された第１合成パケットと受信パケットとを合成した第２合成パケットの希望波対干渉波比を算出し、合成判定手段は、前記第２合成パケットの希望波対干渉波比が前記第１パケットの希望波対干渉波比より大きい受信パケットのみを選別する構成を採る。
【００１５】
この構成により、今回の希望波対干渉波比と前回の希望波対干渉波比との大小比較によりパケット受信時の無線回線品質の状態を判断し、無線回線品質が良好な状態で受信したパケットのみを合成することができるので、合成後のパケットの品質が劣化してしまうことを防ぎ、ＡＲＱの性能の劣化を防ぐことができる。
【００１６】
本発明の受信装置における合成判定手段は、受信パケットを選別しなかった場合に再送要求コマンドを通信相手に送信する構成を採る。
【００１７】
この構成により、無線回線品質が劣化した状態で受信したパケットを誤り訂正復号前に検出して再送要求コマンドを通信相手に送信することができるので、ＡＲＱにおける演算量の低減、消費電力の低減を図ることができる。
【００１８】
本発明の通信方法は、受信装置が、無線回線品質が良好な状態で受信したパケットのみを選別し、選別したパケットを合成した合成パケットに対して誤り検出を行い、誤りを検出した場合に再送要求コマンドを通信相手の送信装置に送信する方法を採る。
【００１９】
この方法により、パケット受信時の無線回線品質の状態を判断し、無線回線品質が良好な状態で受信したパケットのみを合成することができるので、合成後のパケットの品質が劣化してしまうことを防ぎ、ＡＲＱの性能の劣化を防ぐことができる。
【００２０】
本発明の通信方法は、受信装置が、受信パケットを復調して尤度を算出し、前記尤度が第１の閾値より大きい受信パケットを選別し、選別したパケットを合成した合成パケットに対して誤り検出を行い、前記尤度が前記第１の閾値以下の場合あるいは誤りを検出した場合に再送要求コマンドを通信相手の送信装置に送信する方法を採る。
【００２１】
この方法により、復調した受信パケットの尤度と所定の閾値との大小比較によりパケット受信時の無線回線品質の状態を判断し、無線回線品質が良好な状態で受信したパケットのみを合成することができるので、合成後のパケットの品質が劣化してしまうことを防ぎ、ＡＲＱの性能の劣化を防ぐことができる。
【００２２】
本発明の通信方法は、受信装置が、過去に合成された第１合成パケットと受信パケットとを合成した第２合成パケットの尤度を算出し、前記第２合成パケットの尤度が前記第１パケットの尤度より大きい受信パケットを選別し、選別したパケットを合成した合成パケットに対して誤り検出を行い、前記第２合成パケットの尤度が前記第１パケットの尤度以下の場合あるいは誤りを検出した場合に再送要求コマンドを通信相手の送信装置に送信する方法を採る。
【００２３】
この方法により、今回の尤度と前回の尤度との大小比較によりパケット受信時の無線回線品質の状態を判断し、無線回線品質が良好な状態で受信したパケットのみを合成することができるので、合成後のパケットの品質が劣化してしまうことを防ぎ、ＡＲＱの性能の劣化を防ぐことができる。
【００２４】
本発明の通信方法は、受信装置が、受信パケットの希望波対干渉波比を算出し、前記希望波対干渉波比が第２の閾値より大きい受信パケットを選別し、選別したパケットを合成した合成パケットに対して誤り検出を行い、前記希望波対干渉波比が前記第２の閾値以下の場合あるいは誤りを検出した場合に再送要求コマンドを通信相手の送信装置に送信する方法を採る。
【００２５】
この方法により、希望波対干渉波比と所定の閾値との大小比較によりパケット受信時の無線回線品質の状態を判断し、無線回線品質が良好な状態で受信したパケットのみを合成することができるので、合成後のパケットの品質が劣化してしまうことを防ぎ、ＡＲＱの性能の劣化を防ぐことができる。
【００２６】
本発明の通信方法は、受信装置が、過去に合成された第１合成パケットと受信パケットとを合成した第２合成パケットの希望波対干渉波比を算出し、前記第２合成パケットの希望波対干渉波比が前記第１パケットの希望波対干渉波比より大きい受信パケットを選別し、選別したパケットを合成した合成パケットに対して誤り検出を行い、前記第２合成パケットの希望波対干渉波比が前記第１パケットの希望波対干渉波比以下の場合あるいは誤りを検出した場合に再送要求コマンドを通信相手の送信装置に送信する方法を採る。
【００２７】
この方法により、今回の希望波対干渉波比と前回の希望波対干渉波比との大小比較によりパケット受信時の無線回線品質の状態を判断し、無線回線品質が良好な状態で受信したパケットのみを合成することができるので、合成後のパケットの品質が劣化してしまうことを防ぎ、ＡＲＱの性能の劣化を防ぐことができる。
【００２８】
【発明の実施の形態】
本発明の骨子は、パケット受信時の無線回線品質の状態を判断し、無線回線品質が良好な状態で受信したパケットのみを合成することである。
【００２９】
以下、本発明の実施の形態について、添付図面を参照して詳細に説明する。
【００３０】
（実施の形態１）
図１は、本発明の実施の形態１に係る受信装置の構成を示すブロック図である。図１に示す受信装置１００は、アンテナ１０１と、受信ＲＦ部１０２と、復調部１０３と、合成部１０４と、尤度算出部１０５と、合成判定部１０６と、スイッチ１０７と、バッファ１０８と、誤り訂正復号部１０９と、誤り検出部１１０と、スイッチ１１１と、変調部１１２と、送信ＲＦ部１１３とを有する。
【００３１】
受信ＲＦ部１０２は、アンテナ１０１に受信された信号に対して所定の無線処理を行い、ベースバンドの信号を復調部１０３に出力する。復調部１０３は、受信ＲＦ部１０２の出力信号を復調して合成部１０４及び尤度算出部１０５に出力する。
【００３２】
合成部１０４は、復調部１０３の出力信号とバッファ１０８に保存されている信号とを合成し、合成した信号をスイッチ１０７に出力する。尤度算出部１０５は、復調部１０３の出力信号の尤度を算出し、尤度を示す情報を合成判定部１０６に出力する。
【００３３】
合成判定部１０６は、尤度算出部１０５にて算出された尤度と予め設定されている閾値Ｔｈ１との大小比較を行い、尤度が閾値Ｔｈ１よりも大きかった場合にはスイッチ１０７を接続する。この結果、尤度が閾値Ｔｈ１よりも大きかった場合、合成部１０４にて合成された信号は、バッファ１０８及び誤り訂正復号部１０９に入力される。一方、合成判定部１０６は、尤度が閾値Ｔｈ１以下の場合には再送を要求するコマンドの信号（ＮＡＣＫ信号）を変調部１１２に出力する。これにより、無線回線品質が劣化した状態で受信したパケットを誤り訂正復号前に検出して再送要求コマンドを通信相手に送信することができるので、ＡＲＱにおける演算量の低減、消費電力の低減を図ることができる。
【００３４】
バッファ１０８は、保存している信号を合成部１０４に出力し、スイッチ１０７を介して新たな信号を入力した際にはその信号を上書き保存する。
【００３５】
誤り訂正復号部１０９は、スイッチ１０７を介して入力した信号に対してビタビ復号等の誤り訂正復号処理を行って誤り検出部１１０に出力する。
【００３６】
誤り検出部１１０は、誤り訂正復号部１０９の出力信号に対して誤り検出（ＣＲＣ判定）を行い、誤りが検出された場合には再送を要求するコマンドの信号（ＮＡＣＫ信号）を変調部１１２に出力する。一方、誤りが検出されなかった場合、誤り検出部１１０は、バッファ１０８に保存されている信号を消去し、スイッチ１１１を接続し、新規パケットの送信を要求するコマンドの信号（ＡＣＫ信号）を変調部１１２に出力する。この結果、誤りが検出されなかった場合、誤り訂正復号部１０９から出力された受信データは、図示しない後工程を行う装置に出力される。
【００３７】
変調部１１２は、合成判定部１０６若しくは誤り検出部１１０から出力されたＮＡＣＫ信号あるいは誤り検出部１１０から出力されたＡＣＫ信号を変調し、送信ＲＦ部１１３に出力する。送信ＲＦ部１１３は、変調部１１２の出力信号を無線周波数に変換してアンテナ１０１から無線送信する。
【００３８】
次に、本実施の形態のＡＲＱについて図２を用いて具体的に説明する。
【００３９】
図２において、受信装置１００は、まず、新規のパケット２０１を受信するものとする。受信装置１００は、尤度算出部１０５にてパケット２０１の尤度を算出し、合成判定部１０６にて尤度と閾値Ｔｈ１との大小比較を行う。比較の結果、尤度が閾値Ｔｈ１以下だったとすると、受信装置１００は、無線回線品質が劣化した状態でパケット２０１を受信したと判断して、パケット２０１に対して誤り訂正復号処理及び誤り検出処理を行わず、ＮＡＣＫ信号２５１を通信相手の送信装置に送信する。
【００４０】
次に、受信装置１００は、再送パケット２０２を受信し、尤度算出部１０５にてパケット２０２の尤度を算出し、合成判定部１０６にて尤度と閾値Ｔｈ１との大小比較を行う。比較の結果、尤度が閾値Ｔｈ１より大きかったとすると、受信装置１００は、パケット２０２をバッファ１０８に保存し、誤り訂正復号部１０９にてパケット２０２に対して誤り訂正復号処理を行い、誤り検出部１１０にて誤り検出処理を行う。その結果、誤りが検出された（ＣＲＣ＝ＮＧ）とすると、受信装置１００は、ＮＡＣＫ信号２５２を通信相手の送信装置に送信する。
【００４１】
次に、受信装置１００は、再送パケット２０３を受信し、尤度算出部１０５にてパケット２０３の尤度を算出し、合成判定部１０６にて尤度と閾値Ｔｈ１との大小比較を行う。比較の結果、尤度が閾値Ｔｈ１より大きかったとすると、受信装置１００は、合成パケット（２０２＋２０３）をバッファ１０８に保存し、誤り訂正復号部１０９にて合成パケット（２０２＋２０３）に対して誤り訂正復号処理を行い、誤り検出部１１０にて誤り検出処理を行う。その結果、誤りが検出された（ＣＲＣ＝ＮＧ）とすると、受信装置１００は、ＮＡＣＫ信号２５３を通信相手の送信装置に送信する。
【００４２】
次に、受信装置１００は、再送パケット２０４を受信し、尤度算出部１０５にてパケット２０４の尤度を算出し、合成判定部１０６にて尤度と閾値Ｔｈ１との大小比較を行う。比較の結果、尤度が閾値Ｔｈ１より大きかったとすると、受信装置１００は、合成パケット（２０２＋２０３＋２０４）をバッファ１０８に保存し、誤り訂正復号部１０９にて合成パケット（２０２＋２０３＋２０４）に対して誤り訂正復号処理を行い、誤り検出部１１０にて誤り検出処理を行う。その結果、誤りが検出されなかった（ＣＲＣ＝ＯＫ）とすると、受信装置１００は、バッファ１０８の内容を消去し、ＡＣＫ信号２５４を通信相手の送信装置に送信する。
【００４３】
このように、復調した受信パケットの尤度と所定の閾値との大小比較によりパケット受信時の無線回線品質の状態を判断し、無線回線品質が良好な状態で受信したパケットのみを合成することにより、合成後のパケットの品質が劣化してしまうことを防ぎ、ＡＲＱの性能の劣化を防ぐことができる。
【００４４】
なお、本実施の形態では、合成判定部にて用いられる閾値Ｔｈ１を予め設定された値として説明したが、本発明はこれに限られず、例えば、誤り率を検出し、誤り率が一定の値になるように閾値Ｔｈ１を定める等、閾値Ｔｈ１を可変制御しても良い。
【００４５】
（実施の形態２）
図３は、本発明の実施の形態２に係る受信装置の構成を示すブロック図である。なお、図３に示す受信装置３００において、図１に示した受信装置１００と共通する構成部分には図１と同一符号を付してその説明を省略する。
【００４６】
図３に示す受信装置３００は、図１と比較してスイッチ３０１及びバッファ３０２を追加した構成をとる。また、図３の受信装置３００は、合成判定部３０３の作用が図１の合成判定部１０６と異なる。
【００４７】
復調部１０３は、受信ＲＦ部１０２の出力信号を復調して合成部１０４に出力する。合成部１０４は、復調部１０３の出力信号とバッファ１０８に保存されている信号とを合成し、合成した信号を尤度算出部１０５及びスイッチ１０７に出力する。尤度算出部１０５は、合成部１０４にて合成された信号の尤度を算出し、尤度を示す情報をスイッチ３０１及び合成判定部３０３に出力する。
【００４８】
バッファ３０２は、保存している尤度情報を合成判定部３０３に出力し、スイッチ３０１を介して新たな尤度情報を入力した際にはその尤度情報を上書き保存する。
【００４９】
合成判定部３０３は、尤度算出部１０５にて算出された尤度（以下、「今回の尤度」という）とバッファ３０２に保存されている尤度（以下、「前回の尤度」という）との大小比較を行い、今回の尤度が前回の尤度よりも大きかった場合にはスイッチ１０７及びスイッチ３０１を接続し、今回の尤度が前回の尤度以下の場合には再送を要求するコマンドの信号（ＮＡＣＫ信号）を変調部１１２に出力する。この結果、今回の尤度が前回の尤度よりも大きかった場合、尤度算出部１０５にて算出された尤度を示す情報はバッファ３０２に入力され、合成部１０４にて合成された信号はバッファ１０８及び誤り訂正復号部１０９に入力される。
【００５０】
誤り検出部１１０は、誤りが検出されなかった場合、バッファ１０８に保存されている信号及びバッファ３０２に保存されている尤度情報を消去し、スイッチ１１１を接続し、新規パケットの送信を要求するコマンドの信号（ＡＣＫ信号）を変調部１１２に出力する。
【００５１】
次に、本実施の形態のＡＲＱについて図４を用いて具体的に説明する。
【００５２】
図４において、受信装置３００は、まず、新規のパケット４０１を受信するものとする。受信装置３００は、尤度算出部１０５にてパケット４０１の尤度を算出する。この時点で、まだ前回の尤度はないので、受信装置３００は、今回の尤度をバッファ３０１に保存し、パケット４０１をバッファ１０８に保存し、誤り訂正復号部１０９にてパケット４０１に対して誤り訂正復号処理を行い、誤り検出部１１０にて誤り検出処理を行う。その結果、誤りが検出された（ＣＲＣ＝ＮＧ）とすると、受信装置３００は、ＮＡＣＫ信号４５１を通信相手の送信装置に送信する。
【００５３】
次に、受信装置３００は、再送パケット４０２を受信し、尤度算出部１０５にて合成パケット（４０１＋４０２）の尤度を算出し、合成判定部３０３にて今回の尤度と前回の尤度との大小比較を行う。比較の結果、今回の尤度が前回の尤度より大きかったとすると、受信装置３００は、今回の尤度をバッファ３０２に保存し、合成パケット（４０１＋４０２）をバッファ１０８に保存し、誤り訂正復号部１０９にて合成パケット（４０１＋４０２）に対して誤り訂正復号処理を行い、誤り検出部１１０にて誤り検出処理を行う。その結果、誤りが検出された（ＣＲＣ＝ＮＧ）とすると、受信装置３００は、ＮＡＣＫ信号４５２を通信相手の送信装置に送信する。
【００５４】
次に、受信装置３００は、再送パケット４０３を受信し、合成部１０４にて合成パケット（４０１＋４０２）とパケット４０３とを合成し、尤度算出部１０５にて合成パケット（４０１＋４０２＋４０３）の尤度を算出し、合成判定部３０３にて今回の尤度と前回の尤度との大小比較を行う。比較の結果、今回の尤度と前回の尤度以下であったとすると、受信装置３００は、無線回線品質が劣化した状態でパケット４０３を受信したと判断して、合成パケット（４０１＋４０２＋４０３）に対して誤り訂正復号処理及び誤り検出処理を行わず、ＮＡＣＫ信号４５３を通信相手の送信装置に送信する。
【００５５】
次に、受信装置３００は、再送パケット４０４を受信し、合成部１０４にて合成パケット（４０１＋４０２）とパケット４０４とを合成し、尤度算出部１０５にて合成パケット（４０１＋４０２＋４０４）の尤度を算出し、合成判定部１０６にて今回の尤度と前回の尤度との大小比較を行う。比較の結果、今回の尤度と前回の尤度より大きかったとすると、受信装置３００は、今回の尤度をバッファ３０１に保存し、合成パケット（４０１＋４０２＋４０４）をバッファ１０８に保存し、誤り訂正復号部１０９にて合成パケット（４０１＋４０２＋４０４）に対して誤り訂正復号処理を行い、誤り検出部１１０にて誤り検出処理を行う。その結果、誤りが検出されなかった（ＣＲＣ＝ＯＫ）とすると、受信装置３００は、バッファ１０８及びバッファ３０２の内容を消去し、ＡＣＫ信号４５４を通信相手の送信装置に送信する。
【００５６】
このように、今回の尤度と前回の尤度との大小比較によりパケット受信時の無線回線品質の状態を判断し、無線回線品質が良好な状態で受信したパケットのみを合成することにより、合成後のパケットの品質が劣化してしまうことを防ぎ、ＡＲＱの性能の劣化を防ぐことができる。
【００５７】
（実施の形態３）
図５は、本発明の実施の形態３に係る受信装置の構成を示すブロック図である。なお、図５に示す受信装置５００において、図１に示した受信装置１００と共通する構成部分には図１と同一符号を付してその説明を省略する。
【００５８】
図５に示す受信装置５００は、図１と比較して尤度算出部１０５及び合成判定部１０６を削除してＳＩＲ測定部５０１及びＳＩＲ判定部５０２を追加した構成をとる。
【００５９】
復調部１０３は、復調の過程で測定される希望波レベル及び干渉波レベルをＳＩＲ測定部５０１に出力する。
【００６０】
ＳＩＲ測定部５０１は、希望波レベルと干渉波レベルとの比（ＳＩＲ）を測定し、ＳＩＲを示す情報をＳＩＲ判定部５０２に出力する。
【００６１】
ＳＩＲ判定部５０２は、ＳＩＲ測定部５０１にて測定されたＳＩＲと予め設定されている閾値Ｔｈ２との大小比較を行い、ＳＩＲが閾値Ｔｈ２よりも大きかった場合にはスイッチ１０７を接続し、ＳＩＲが閾値Ｔｈ２以下の場合には再送を要求するコマンドの信号（ＮＡＣＫ信号）を変調部１１２に出力する。この結果、ＳＩＲが閾値Ｔｈ２よりも大きかった場合、合成部１０４にて合成された信号は、バッファ１０８及び誤り訂正復号部１０９に入力される。
【００６２】
次に、本実施の形態のＡＲＱについて図６を用いて具体的に説明する。
【００６３】
図６において、受信装置５００は、まず、新規のパケット６０１を受信するものとする。受信装置５００は、ＳＩＲ測定部５０１にてパケット６０１のＳＩＲ（希望波対干渉波比）を測定し、ＳＩＲ判定部５０２にてＳＩＲと閾値Ｔｈ２との大小比較を行う。比較の結果、ＳＩＲが閾値Ｔｈ２より大きかったとすると、受信装置５００は、パケット６０１をバッファ１０８に保存し、誤り訂正復号部１０９にてパケット６０１に対して誤り訂正復号処理を行い、誤り検出部１１０にて誤り検出処理を行う。その結果、誤りが検出された（ＣＲＣ＝ＮＧ）とすると、受信装置５００は、ＮＡＣＫ信号６５１を通信相手の送信装置に送信する。
【００６４】
次に、受信装置５００は、再送パケット６０２を受信し、合成部１０４にてパケット６０１とパケット６０２とを合成し、ＳＩＲ測定部５０１にてパケット６０２のＳＩＲを測定し、ＳＩＲ判定部５０２にてＳＩＲと閾値Ｔｈ２との大小比較を行う。比較の結果、ＳＩＲが閾値Ｔｈ２より大きかったとすると、受信装置５００は、合成パケット（６０１＋６０２）をバッファ１０８に保存し、誤り訂正復号部１０９にて合成パケット（６０１＋６０２）に対して誤り訂正復号処理を行い、誤り検出部１１０にて誤り検出処理を行う。その結果、誤りが検出された（ＣＲＣ＝ＮＧ）とすると、受信装置５００は、ＮＡＣＫ信号６５２を通信相手の送信装置に送信する。
【００６５】
次に、受信装置５００は、再送パケット６０３を受信し、合成部１０４にて合成パケット（６０１＋６０２）とパケット６０３とを合成し、ＳＩＲ測定部５０１にてパケット６０３のＳＩＲを測定し、ＳＩＲ判定部５０２にてＳＩＲと閾値Ｔｈ２との大小比較を行う。比較の結果、ＳＩＲが閾値Ｔｈ２以下だったとすると、受信装置５００は、無線回線品質が劣化した状態でパケット６０３を受信したと判断して、合成パケット（６０１＋６０２＋６０３）に対して誤り訂正復号処理及び誤り検出処理を行わず、ＮＡＣＫ信号６５３を通信相手の送信装置に送信する。
【００６６】
次に、受信装置５００は、再送パケット６０４を受信し、合成部１０４にて合成パケット（６０１＋６０２）とパケット６０４とを合成し、ＳＩＲ測定部５０１にてパケット６０４のＳＩＲを測定し、ＳＩＲ判定部５０２にてＳＩＲと閾値Ｔｈ２との大小比較を行う。比較の結果、ＳＩＲが閾値Ｔｈ２より大きかったとすると、受信装置５００は、合成パケット（６０１＋６０２＋６０４）をバッファ１０８に保存し、誤り訂正復号部１０９にて合成パケット（６０１＋６０２＋６０４）に対して誤り訂正復号処理を行い、誤り検出部１１０にて誤り検出処理を行う。その結果、誤りが検出されなかった（ＣＲＣ＝ＯＫ）とすると、受信装置５００は、バッファ１０８の内容を消去し、ＡＣＫ信号６５４を通信相手の送信装置に送信する。
【００６７】
このように、ＳＩＲと所定の閾値との大小比較によりパケット受信時の無線回線品質の状態を判断し、無線回線品質が良好な状態で受信したパケットのみを合成することにより、合成後のパケットの品質が劣化してしまうことを防ぎ、ＡＲＱの性能の劣化を防ぐことができる。
【００６８】
なお、本実施の形態では、合成判定部にて用いられる閾値Ｔｈ２を予め設定された値として説明したが、本発明はこれに限られず、例えば、誤り率を検出し、誤り率が一定の値になるように閾値Ｔｈ２を定める等、閾値Ｔｈ２を可変制御しても良い。
【００６９】
なお、上記各実施の形態は、適宜組み合わせることができる。例えば、受信装置が、過去に合成された第１合成パケットと受信パケットとを合成した第２合成パケットの希望波対干渉波比を算出し、第２合成パケットの希望波対干渉波比が第１パケットの希望波対干渉波比より大きい受信パケットを選別し、選別したパケットを合成した合成パケットに対して誤り検出を行ってもよい。
【００７０】
【発明の効果】
以上説明したように、本発明によれば、パケット受信時の無線回線品質の状態を判断し、無線回線品質が良好な状態で受信したパケットのみを合成することにより、合成後のパケットの品質が劣化してしまうことを防ぎ、ＡＲＱの性能の劣化を防ぐことができる。
【図面の簡単な説明】
【図１】本発明の実施の形態１に係る受信装置の構成を示すブロック図
【図２】上記実施の形態のＡＲＱを具体的に説明するための図
【図３】本発明の実施の形態２に係る受信装置の構成を示すブロック図
【図４】上記実施の形態のＡＲＱを具体的に説明するための図
【図５】本発明の実施の形態３に係る受信装置の構成を示すブロック図
【図６】上記実施の形態のＡＲＱを具体的に説明するための図
【符号の説明】
１０３　復調部
１０４　合成部
１０５　尤度算出部
１０６、３０３　合成判定部
１０７、１１１、３０１　スイッチ
１０８、３０２　バッファ
１０９　誤り訂正復号部
１１０　誤り検出部
５０１　ＳＩＲ測定部
５０２　ＳＩＲ判定部
【図１】
2004040315.tif 000003
【図２】
2004040315.tif 000004
【図３】
2004040315.tif 000005
【図４】
2004040315.tif 000006
【図５】
2004040315.tif 000007
【図６】
2004040315.tif 000008
【手続補正書】
【提出日】平成15年10月30日(2003.10.30)
【手続補正１】
【補正対象書類名】明細書
【補正対象項目名】特許請求の範囲
【補正方法】変更
【補正の内容】
【特許請求の範囲】
【請求項１】
受信パケットを復調する復調手段と、復調された受信パケットの無線回線品質を推定する回線品質推定手段と、無線回線品質に基づいて受信パケットを合成するか否かを判定する合成判定手段と、前記合成判定手段にて選別された受信パケットを合成して第１合成パケットを生成する合成手段と、前記第１合成パケットに対して誤り訂正復号を行う誤り訂正復号手段と、この誤り訂正復号手段の出力信号に対して誤り検出を行い、誤りを検出した場合に再送要求コマンドを通信相手に送信する誤り検出手段とを具備し、
前記回線品質推定手段は、過去に合成された第１合成パケットと受信パケットとを合成した第２合成パケットの尤度を算出し、前記合成判定手段は、前記第２合成パケットの尤度が前記第１パケットの尤度より大きい受信パケットのみを選別することを特徴とする受信装置。
【請求項２】
前記回線品質推定手段は、過去に合成された第１合成パケットと受信パケットとを合成した第２合成パケットの希望波対干渉波比を算出し、前記合成判定手段は、前記第２合成パケットの希望波対干渉波比が前記第１パケットの希望波対干渉波比より大きい受信パケットのみを選別することを特徴とする請求項１記載の受信装置。
【請求項３】
前記合成判定手段は、受信パケットを選別しなかった場合に再送要求コマンドを通信相手に送信することを特徴とする請求項１又は請求項２に記載の受信装置。
【請求項４】
受信装置が、受信パケットを復調して尤度を算出し、前記尤度が第１の閾値より大きい受信パケットを選別し、選別したパケットを合成した合成パケットに対して誤り検出を行い、前記尤度が前記第１の閾値以下の場合あるいは誤りを検出した場合に再送要求コマンドを通信相手の送信装置に送信することを特徴とする通信方法。
【請求項５】
受信装置が、過去に合成された第１合成パケットと受信パケットとを合成した第２合成パケットの尤度を算出し、前記第２合成パケットの尤度が前記第１パケットの尤度より大きい受信パケットを選別し、選別したパケットを合成した合成パケットに対して誤り検出を行い、前記第２合成パケットの尤度が前記第１パケットの尤度以下の場合あるいは誤りを検出した場合に再送要求コマンドを通信相手の送信装置に送信することを特徴とする通信方法。
【請求項６】
受信装置が、受信パケットの希望波対干渉波比を算出し、前記希望波対干渉波比が第２の閾値より大きい受信パケットを選別し、選別したパケットを合成した合成パケットに対して誤り検出を行い、前記希望波対干渉波比が前記第２の閾値以下の場合あるいは誤りを検出した場合に再送要求コマンドを通信相手の送信装置に送信することを特徴とする通信方法。
【請求項７】
受信装置が、過去に合成された第１合成パケットと受信パケットとを合成した第２合成パケットの希望波対干渉波比を算出し、前記第２合成パケットの希望波対干渉波比が前記第１パケットの希望波対干渉波比より大きい受信パケットを選別し、選別したパケットを合成した合成パケットに対して誤り検出を行い、前記第２合成パケットの希望波対干渉波比が前記第１パケットの希望波対干渉波比以下の場合あるいは誤りを検出した場合に再送要求コマンドを通信相手の送信装置に送信することを特徴とする通信方法。
【手続補正２】
【補正対象書類名】明細書
【補正対象項目名】０００６
【補正方法】変更
【補正の内容】
【０００６】
【課題を解決するための手段】
本発明の受信装置は、受信パケットを復調する復調手段と、復調された受信パケットの無線回線品質を推定する回線品質推定手段と、無線回線品質に基づいて受信パケットを合成するか否かを判定する合成判定手段と、前記合成判定手段にて選別された受信パケットを合成して第１合成パケットを生成する合成手段と、前記第１合成パケットに対して誤り訂正復号を行う誤り訂正復号手段と、この誤り訂正復号手段の出力信号に対して誤り検出を行い、誤りを検出した場合に再送要求コマンドを通信相手に送信する誤り検出手段とを具備し、前記回線品質推定手段は、過去に合成された第１合成パケットと受信パケットとを合成した第２合成パケットの尤度を算出し、前記合成判定手段は、前記第２合成パケットの尤度が前記第１パケットの尤度より大きい受信パケットのみを選別する構成を採る。


【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】変更
【補正の内容】
【００１４】
本発明の受信装置における前記回線品質推定手段は、過去に合成された第１合成パケットと受信パケットとを合成した第２合成パケットの希望波対干渉波比を算出し、前記合成判定手段は、前記第２合成パケットの希望波対干渉波比が前記第１パケットの希望波対干渉波比より大きい受信パケットのみを選別する構成を採る。


【手続補正１０】
【補正対象書類名】明細書
【補正対象項目名】００１６
【補正方法】変更
【補正の内容】
【００１６】
本発明の受信装置における前記合成判定手段は、受信パケットを選別しなかった場合に再送要求コマンドを通信相手に送信する構成を採る。


【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】